(57)【要約】【課題】  著作権保護すべきディジタル信号のデータ転送を、安全かつ効率的に行う信号処理装置を提供する。【解決手段】  入出力するディジタル信号を暗号化および復号化する第一および第二の暗号復号部（１０９，１１０）と、ディジタル信号を一時格納するメモリ（１０４）と、ディジタル信号を調停し時分割に処理するアービタ（調停部）（１０３）とを設ける。アービタは、前記第一および第二の暗号復号部における暗号処理と復号処理を時分割に並列処理するようにした。記録再生部（２００，３００）は暗号化された信号を記録再生し、ＰＣＩバス（４１０）上では暗号化された信号を伝送する。【選択図】  図１
2005182337.tif 000002
【特許請求の範囲】
【請求項１】
ディジタル信号が入力される入力部と、
ディジタル信号が出力される出力部と、
ディジタル信号および制御信号が入出力される入出力バス部と、
前記入力部、前記出力部および前記入出力バス部で入出力される前記ディジタル信号を、暗号化および復号化する第一および第二の暗号復号部と、
前記ディジタル信号を一時格納するメモリと、
前記入力部、前記出力部、前記入出力バス部、前記第一および第二の暗号復号部、および前記メモリとの間でディジタル信号を調停し時分割に処理する調停部と、
前記入出力バス部に入力された制御信号に基づき、前記第一および第二の暗号復号部、前記調停部、前記入力部、前記出力部および前記入出力バス部を制御する制御部と、
を備えたことを特徴とする信号処理装置。
【請求項２】
請求項１に記載の信号処理装置において、
前記調停部と前記制御部は、前記入出力バス部に入力された複数の制御信号に基づき、前記第一および第二の暗号復号部における暗号化と復号化の動作を並列処理することを特徴とする信号処理装置。
【請求項３】
請求項１または２に記載の信号処理装置において、
前記入出力バス部に入力された制御信号に基づき、前記入力部に入力されたディジタル信号を、前記第一の暗号復号部または前記第二の暗号復号部のうち指定された一方の暗号復号部にて暗号化し、前記入出力バス部に出力することを特徴とする信号処理装置。
【請求項４】
請求項１または２に記載の信号処理装置において、
前記入出力バス部に入力された制御信号に基づき、前記入出力バス部に入力されたディジタル信号を、前記第一の暗号復号部または前記第二の暗号復号部にて復号化し、前記出力部に出力することを特徴とする信号処理装置。
【請求項５】
請求項１または２に記載の信号処理装置において、
前記入出力バス部に入力された制御信号に基づき、前記入出力バス部に入力されたディジタル信号を、前記第一の暗号復号部または前記第二の暗号復号部のうち指定された一方の暗号復号部にて復号化し、さらに他方の暗号復号部にて暗号化して、前記入出力バス部に出力することを特徴とする信号処理装置。
【請求項６】
請求項１乃至５のいずれか１項に記載の信号処理装置において、
前記第一および第二の暗号復号部は、互いに異なる暗号アルゴリズムにて暗号化および復号化することを特徴とする信号処理装置。
【請求項７】
請求項１記載の信号処理装置において、
前記入力部、前記出力部、前記入出力バス部、前記第一および第二の暗号復号部、前記調停部、前記メモリ、および前記制御部を、一つの集積回路に搭載することを特徴とする信号処理装置。
【請求項８】
ディジタル信号を暗号化する暗号部と、
ディジタル信号を復号化する復号部と、
ディジタル信号を一時格納するメモリと、
前記暗号部、前記復号部、および前記メモリとの間でディジタル信号を調停し時分割に処理する調停部と、を有し、
前記調停部は、前記暗号部と前記復号部における暗号化と復号化の動作を並列処理することを特徴とする信号処理装置。
【請求項９】
請求項１または２に記載の信号処理装置を含む記録再生装置であって、
前記入力部および前記出力部には、記録再生のためのディジタル信号が入出力し、
前記入出力バス部には、バスインターフェースを介して記録媒体への記録再生を行う記録再生部が接続されたことを特徴とする記録再生装置。
【発明の詳細な説明】
【技術分野】
【０００１】
本発明は、入出力するディジタル信号の暗号・復号処理を行う信号処理装置及びこれを用いた記録再生装置に関する。
【背景技術】
【０００２】
近年、家庭用のビデオテープレコーダに代えて、ハードディスクを記録媒体とするいわゆるＨＤＤレコーダが急速に普及しつつある。中でも、ＤＶＤ−ＲＡＭ（Ｄｉｇｉｔａｌ  Ｖｅｒｓａｔｉｌｅ  Ｄｉｓｃ  Ｒａｎｄｏｍ  Ａｃｃｅｓｓ  Ｍｅｍｏｒｙ）等の記録型光ディスクへの記録再生を可能とした一体型レコーダの需要が大きい。ハードディスクと記録型光ディスクが組み合わされた場合、ハードディスクには受信した番組を一時的に記録し、記録型光ディスクには、その中でも気に入った番組を保存用として複製または移動し、ハードディスクのデータは消去するといった具合に使い勝手が向上する。
【０００３】
このようなディジタル信号を記録再生する機器は、大容量のディジタル化コンテンツを記録することが可能なため、映像信号等の複製は容易であり、且つ劣化がないため、著作権保護のための技術が必須となる。
【０００４】
著作権保護に用い得る技術としては、コンテンツの暗号化が挙げられる。著作権保護の例として、特許文献１には、コンピュータのバスを転送されるストリームが不正にコピーされることを防止するために、ストリーム中の著作権保護の必要な部分を暗号化してＰＣＩバス上を転送する技術が開示されている。
【０００５】
【特許文献１】特開２００１−８６４８１号公報
【発明の開示】
【発明が解決しようとする課題】
【０００６】
前述のハードディスクと、記録型光ディスクを組み合わせたディジタルレコーダでは、著作権保護のため、媒体上でのコンテンツの暗号化に加えて、装置内のデータバス上のコンテンツの暗号化が必要になる。２つの媒体間でコンテンツの記録再生を行なう際、暗号・復号化の処理を効率良く行わねばならない。
【０００７】
本発明は、上記課題を解決し、著作権保護すべきディジタル信号のデータ転送を、効率的に行う装置を提供することを目的とする。
【課題を解決するための手段】
【０００８】
本発明は、かかる課題を解決するために、ディジタル信号が入力される入力部と、ディジタル信号が出力される出力部と、ディジタル信号および制御信号が入出力される入出力バス部と、前記入力部、前記出力部および前記入出力バス部で入出力される前記ディジタル信号を暗号化および復号化する第一および第二の暗号復号部と、前記ディジタル信号を一時格納するメモリと、前記入力部、前記出力部、前記入出力バス部、前記第一および第二の暗号復号部、および前記メモリと間でディジタル信号を調停し時分割に処理する調停部と、前記入出力バス部に入力された制御信号に基づき、前記第一および第二の暗号復号部、前記調停部、前記入力部、前記出力部および前記入出力バス部を制御する制御部とを備える構成とした。前記調停部は、前記第一および第二の暗号復号部における暗号処理と復号処理を時分割に並列処理するようにした。
【発明の効果】
【０００９】
本発明によれば、著作権保護すべきディジタル信号のデータ転送を好適に行う装置を提供できる。
【発明を実施するための最良の形態】
【００１０】
以下本発明による信号処理装置と、これを用いた記録再生装置の実施形態について説明する。
【実施例１】
【００１１】
図１は本発明による信号処理装置の一実施形態を示すブロック図である。１００は信号処理装置であり、１０１はディジタル信号を入力するための入力端子であり、１０２はディジタル信号を出力するための出力端子である。１１１はディジタル信号および制御信号を入出力するための入出力バス端子である。１０４はディジタル信号を一時格納するメモリである。１０３はメモリ１０４への書き込みおよび読み出しを時分割に処理するアービタ（調停部）である。１０５は入力端子１０１から入力されたディジタル信号を受け取り、アービタ１０３に渡す入力インタフェース部、１０６は、アービタ１０３から受け取ったディジタル信号を出力端子１０２に出力する出力インタフェース部である。１０７は、アービタ１０３と入出力バス端子１１１の間でディジタル信号を入出力し、また、図示しないホストからの制御信号を制御部１０８に入力する入出力バスインタフェース部であり、例えばＰＣＩ（Ｐｅｒｉｐｈｅｒａｌ  Ｃｏｍｐｏｎｅｎｔ  Ｉｎｔｅｒｃｏｎｎｅｃｔ）バスが用いられる。１０９および１１０は、ディジタル信号の暗号および復号処理を行う暗号復号部、１０８は入力インタフェース部１０５、出力インタフェース１０６、アービタ１０３、暗号復号部１０９、暗号復号部１１０、入出力バスインタフェース部１０７を制御するための制御部で、具体的にはマイクロコントローラである。
【００１２】
ここで、入力端子１０１から入力されるディジタル信号を入出力バス端子１１１に出力する動作について説明する。前述のように、ホストからの制御信号は、入出力バス端子１１１を介して入出力バスインタフェース部１０７から制御部１０８に供給される。制御部１０８は、受け取った制御信号を解析し制御を行う。
【００１３】
まず、入力端子１０１を介して入力インタフェース部１０５から入力されるディジタル信号は、アービタ１０３を介してメモリ１０４に格納される。ここで、受け取った制御信号が暗号復号部１０９による暗号化を指示している場合、メモリ１０４に格納されたディジタル信号は、一旦アービタ１０３により読み出され、暗号復号部１０９において暗号化されて再度メモリ１０４に格納される。続いてアービタ１０３は、暗号復号部１０９により暗号化されメモリ１０４に格納されたディジタル信号を入出力バスインタフェース部１０７に供給し、ディジタル信号が入出力バス端子１１１から出力される。
【００１４】
また、受け取った制御信号が、暗号復号部１１０による暗号化を指示している場合、メモリ１０４に格納されたディジタル信号は、一旦アービタ１０３により読み出され、暗号復号部１１０において暗号化されて再度メモリ１０４に格納される。続いてアービタ１０３は、暗号復号部１１０により暗号化されメモリ１０４に格納されたディジタル信号を入出力バスインタフェース部１０７に供給し、ディジタル信号が入出力バス端子１１１から出力される。
【００１５】
さらに、受け取った制御信号が、暗号化を指示していない場合、入力インタフェース部１０５から入力されメモリ１０４に格納されたディジタル信号が、アービタ１０３から読み出され、入出力バスインタフェース部１０７に供給され、ディジタル信号が入出力バス端子１１１から出力される。
【００１６】
次に、入出力バス端子１１１から入力されるディジタル信号を出力端子１０２に出力する動作について説明する。前述のように、ホストからの制御信号は、入出力バス端子１１１を介して入出力バスインタフェース部１０７から制御部１０８に供給される。制御部１０８は、受け取った制御信号を解析し制御を行う。
【００１７】
まず、入出力バス端子１１１を介して入出力バスインタフェース部１０７から入力されるディジタル信号は、アービタ１０３を介してメモリ１０４に格納される。ここで、受け取った制御信号が暗号復号部１０９による復号化を指示している場合、メモリ１０４に格納されたディジタル信号は、一旦アービタ１０３により読み出され、暗号復号部１０９において復号化されて再度メモリ１０４に格納される。続いて、アービタ１０３は暗号復号部１０９により復号化されメモリ１０４に格納されたディジタル信号を出力インタフェース部１０６に供給し、ディジタル信号が出力端子１０２から出力される。
【００１８】
また、受け取った制御信号が、暗号復号部１１０による復号化を指示している場合、メモリ１０４に格納されたディジタル信号は、一旦アービタ１０３により読み出され、暗号復号部１１０において復号化されて再度メモリ１０４に格納される。続いて、アービタ１０３は暗号復号部１１０により復号化されメモリ１０４に格納されたディジタル信号を出力インタフェース部１０６に供給し、ディジタル信号が出力端子１０２から出力される。
【００１９】
さらに、受け取った制御信号が、復号化を指示していない場合、入出力バスインタフェース部１０７から入力されメモリ１０４に格納されたディジタル信号が、アービタ１０３から読み出され、出力インタフェース１０２に供給され、ディジタル信号が出力端子１０２から出力される。
【００２０】
次に、入出力バス端子１１１から入力されるディジタル信号を復号および暗号化して再度入出力バス端子１１１に出力する動作について説明する。前述のように、ホストからの制御信号は、入出力バス端子１１１を介して入出力バスインタフェース部１０７から制御部１０８に供給される。制御部１０８は、受け取った制御信号を解析し制御を行う。
【００２１】
まず、入出力バス端子１１１を介して入出力バスインタフェース部１０７から入力されるディジタル信号は、アービタ１０３を介してメモリ１０４に格納される。ここで、メモリ１０４に格納されたディジタル信号は、一旦アービタ１０３により読み出され、暗号復号部１０９において復号化されて再度メモリ１０４に格納される。さらに、暗号復号部１０９により復号化され格納されたディジタル信号を読み出し、暗号復号部１１０において暗号化されて再度メモリ１０４に格納される。続いて、アービタ１０３は暗号復号部１１０により暗号化されメモリ１０４に格納されたディジタル信号を入出力バスインタフェース部１０７に供給し、ディジタル信号が入出力バス端子１１１から出力される。
【００２２】
また、上述の動作を時分割で並列処理する場合を説明する。ホストからの制御信号が、入出力バス端子１１１を介して入出力バスインタフェース部１０７から制御部１０８に供給されるが、さらに別の制御信号をホストから供給することで、複数の処理を並列処理することが可能である。
【００２３】
例えば、前述した暗号復号部１０９による暗号化を指示する制御信号と、暗号復号部１１０による復号化を指示する制御信号とを重ねて受け取った場合を説明する。入力端子１０１を介して入力インタフェース部１０５から入力されるディジタル信号（以下、第１信号と呼ぶ）がアービタ１０３を介してメモリ１０４に格納されると共に、入出力バス端子１１１を介して入出力バスインタフェース部１０７から入力されるディジタル信号（以下、第２信号と呼ぶ）がアービタ１０３を介してメモリ１０４に格納される。この場合、アービタ１０３はメモリ１０４へそれぞれのインタフェース部から入力される第１、第２信号を異なる領域に時分割で格納する。
【００２４】
次にアービタ１０３は、メモリ１０４に格納されたディジタル信号を読み出し、第１信号については暗号復号部１０９に供給し、該暗号復号部１０９において暗号化された第１信号を再度メモリ１０４に格納する。また、第２信号については暗号復号部１１０に供給し、該暗号復号部１１０において復号化された第２信号を再度メモリ１０４に格納する。この場合も、上記とは異なる領域に時分割で格納する。
【００２５】
さらにアービタ１０３は、メモリ１０４から、暗号復号部１０９において暗号化された第１信号を入出力バスインタフェース部１０７に供給し、また、暗号復号部１１０において復号化された第２信号を出力インタフェース部１０６に供給する。この場合も時分割に読み出しが行われる。
【００２６】
以上のように、本実施例のアービタ１０３により、暗号化と復号化の複数並列処理を実現することができる。その他、前述した入出力バス端子１１１から入力されるディジタル信号を復号および暗号化して再度入出力バス端子１１１に出力する動作をしながら、例えば、入出力バス端子１１１から入力されるディジタル信号を暗号復号部１０９により復号し出力インタフェース部１０６を介し出力端子１０２からの出力等、同様に並列処理を行うことが可能である。
【実施例２】
【００２７】
図２は、信号処理装置１００をディジタルレコーダに適用した一実施形態を示す。４００はディジタルレコーダ、４０１は映像信号入力端子、４０２は音声信号入力端子、４０３は映像信号Ａ／Ｄコンバータ、４０４は音声信号Ａ／Ｄコンバータ、４０５はコピー制限情報検出回路、４０７は映像信号圧縮回路、４０８は音声信号圧縮回路、４０９はシステムエンコーダ、１００は前述の信号処理装置、４１０はＰＣＩバス、４１１はバスインタフェースでありいわゆるサウスブリッジ、２００は例えばハードディスクドライブなどの記録再生部、３００は例えば光ディスクドライブなどの記録再生部、４１３はＣＰＵインタフェースでありいわゆるノースブリッジ、４１２はメモリ、４２１は制御回路でありいわゆるＣＰＵ、４１４はシステムデコーダ、４１５は映像信号伸張回路、４１６は音声信号伸張回路、４１７は映像信号Ｄ／Ａコンバータ、４１８は音声信号Ｄ／Ａコンバータ、４１９は映像信号出力端子、４２０は音声信号出力端子である。
【００２８】
まず、記録再生部２００、および記録再生部３００での記録および再生動作について説明する。映像信号入力端子４０１から入力された映像信号は、映像信号Ａ／Ｄコンバータ４０３においてディジタル信号に変換され、コピー制限情報検出回路４０５に入力されるとともに、映像信号圧縮回路４０７に入力される。コピー制限情報検出回路４０５では、例えば、映像信号の垂直帰線区間に重畳されているコピー制限情報を検出する。コピー制限情報としては、コピー可、一世代コピー可、コピー禁止の意味を持つ情報であり、コピー禁止の場合は、以下の動作は行わない。
【００２９】
映像信号圧縮回路４０７では、例えば、映像圧縮符号化方式としてＩＳＯ／ＩＥＣ１３８１８−２（通称ＭＰＥＧ２Ｖｉｄｅｏ）ＭＰ＠ＭＬ（Ｍａｉｎ  Ｐｒｏｆｉｌｅ＠Ｍａｉｎ  Ｌｅｖｅｌ）規格に準拠した圧縮符号化データを生成する。映像圧縮符号化方式としては、これに限定するものではなく、ＪＰＥＧ規格方式などでもよい。生成した圧縮符号化映像データは、システムエンコーダ４０９に入力される。
【００３０】
また、音声信号入力端子４０２から入力された音声信号は、音声信号Ａ／Ｄコンバータ４０４において所定のサンプリングレートによりアナログ／ディジタル変換が行われる。ディジタル信号に変換された音声信号は、音声信号圧縮回路４０８に入力される。音声信号圧縮回路４０８では、例えば、音声圧縮符号化方式としてＩＳＯ／ＩＥＣ１３８１８−１（通称ＭＰＥＧ２Ａｕｄｉｏ）規格に準拠した圧縮符号化データを生成する。音声圧縮符号化方式についても特にこれ限定するものではない。生成した圧縮符号化音声データは、システムエンコーダ４０９に入力される。
【００３１】
システムエンコーダ４０９に入力された圧縮符号化映像データおよび圧縮符号化音声データは、それぞれパケット化および多重化され、一本のシステムストリームに変換された後、信号処理装置１００に入力される。システムストリームには、付加情報として、元映像のサイズ、縦横比、システムストリーム中の圧縮符号化映像データおよび圧縮符号化音声データのビットレート、コピー制限情報等が追加される。ここで、コピー制限情報検出回路４０５で一世代コピー可の検出がされた場合、例えば、システムストリームに追加されるコピー制限情報としては、コピー禁止の情報に変更されて追加される。
【００３２】
また、制御回路４２１はコピー制限情報検出回路４０５の検出結果をもとに、信号処理装置１００に対し、入出力バス端子１１１を介し制御信号を発行する。一世代コピー可の検出がされた場合、暗号化処理の指示を行う。
【００３３】
信号処理装置１００に入力されたシステムストリームは、制御回路４２１から受け取った制御信号に従い処理され、入出力バス端子１１１からＰＣＩバス４１０を経由し、バスインタフェース４１１、ＣＰＵインタフェース４１３を介して一旦メモリ４１２に格納された後、ＣＰＵインタフェース４１３、バスインタフェース４１１を介して、記録再生部２００、あるいは記録再生部３００にて記録される。
【００３４】
この際、例えば、記録再生部２００で記録する場合は、図１の暗号復号部１０９により暗号化を行い、記録再生部３００で記録する場合は、図１の暗号復号部１１０により暗号化を行う。信号処理装置１００の動作については前述した通りである。
【００３５】
なお、信号処理装置１００内部の暗号復号部１０９、暗号復号部１１０に供給する暗号復号鍵を生成するための鍵情報として、制御回路４２１が保有している固有情報を用いてもよい。また、暗号復号部１１０に供給する暗号復号鍵を生成するための鍵情報として、上記に加えて、記録再生部３００の光ディスクが持つ固有情報を用いてもよい。
【００３６】
ここで、システムストリームが暗号復号部（１０９，１１０）において暗号化されるのは、前述のコピー制限情報検出回路４０５において、例えば一世代コピー可の情報を検出した場合であり、コピー可の場合は暗号化されなくてもよい。
【００３７】
一方、記録再生部２００、あるいは記録再生部３００にて再生されるシステムストリームは、バスインタフェース４１１、ＣＰＵインタフェース４１３を経由してメモリ４１２に格納される。メモリ４１２に格納されたシステムストリームは、ＣＰＵインタフェース４１３、バスインタフェース４１１を介し、ＰＣＩバス４１０を経由して、入出力バス端子１１１から信号処理装置１００に入力される。
【００３８】
信号処理装置１００に入力されたシステムストリームは、制御回路４２１から受け取った制御信号に従い処理され、出力端子１０２を介してシステムデコーダ４１４に入力される。信号処理装置１００の動作については前述した通りであり、暗号復号部１０９、あるいは暗号復号部１１０に供給する暗号復号鍵は記録時と同一のものとなる。
【００３９】
システムデコーダ４１４に入力されたシステムストリームは、圧縮符号化映像データ、および圧縮符号化音声データのパケットにそれぞれ分離され、各々のパケットから取り出した圧縮符号化映像データは映像信号伸張回路４１５に、また圧縮符号化音声データは音声信号伸張回路４１６に入力される。伸張が施された映像信号は映像信号Ｄ／Ａコンバータ４１７に、音声信号は音声信号Ｄ／Ａコンバータ４１８に入力され、アナログ信号に変換され、映像信号出力端子４１９、音声信号出力端子４２０から出力される。
【００４０】
以上のように、記録する映像音声信号のコピー制限情報に基づいて信号処理装置１００において、記録媒体に応じて暗号化、復号化処理が行われ、記録媒体上には暗号化されたシステムストリームが記録されるので記録媒体上での著作権が保護できる。また、ＰＣＩバス４１０上にも暗号化されたシステムストリームが伝送されるので、安全にデータ転送が行える。
【００４１】
次に記録再生部２００から記録再生部３００へのダビング動作について説明する。記録再生部２００から再生されるシステムストリームは、バスインタフェース４１１、ＣＰＵインタフェース４１３を経由してメモリ４１２に格納される。メモリ４１２に格納されたシステムストリームは、ＣＰＵインタフェース４１３、バスインタフェース４１１を介し、ＰＣＩバス４１０を経由して、入出力バス端子１１１から信号処理装置１００に入力される。
【００４２】
信号処理装置１００に入力されたシステムストリームは、制御回路４２１から受け取った制御信号に従い、復号処理、暗号処理がなされ、入出力バス端子１１１から出力される。信号処理装置１００の動作については前述した通りである。出力システムストリームは、入出力バス端子１１１からＰＣＩバス４１０を経由し、バスインタフェース４１１、ＣＰＵインタフェース４１３を介して一旦メモリ４１２に格納された後、ＣＰＵインタフェース４１３、バスインタフェース４１１を介して、記録再生部３００にて記録される。
【００４３】
以上のように、記録媒体間のダビング動作においても、信号処理装置１００において、記録媒体に応じて暗号化、復号化処理が行われ、記録媒体上には暗号化されたシステムストリームが記録されるので記録媒体上での著作権が保護できる。また、ＰＣＩバス４１０上にも暗号化されたシステムストリームが伝送されるので、安全にデータ転送が行える。
【００４４】
また、記録動作を行いながらの再生動作を行うことも可能である。例えば、記録再生部２００にて記録しながら、記録再生部３００からの再生を行う場合を説明する。信号処理装置１００に入力されるシステムエンコーダ４０９からのシステムストリームは、制御回路４２１から受け取った制御信号に従い、入出力バス端子１１１からＰＣＩバス４１０を経由し、記録再生部２００にて記録される。これととともに、制御回路４２１から受け取った制御信号に従い、記録再生部３００から再生されたシステムストリームを、ＰＣＩバス４１０を経由し、入出力バス端子１１１から入力して、システムデコーダ４１４に供給する。これにより、記録再生部２００での記録動作とは独立して、記録再生部３００での再生動作が実現できる。
【００４５】
あるいはまた、記録再生部２００から記録再生部３００へのダビング動作中に、例えば記録再生部２００からダビングしているシステムストリームとは別のシステムストリームの再生動作を行うことも可能である。
これらの動作は、前述の信号処理装置１００における並列処理に基づくものである。
【実施例３】
【００４６】
図３は、信号処理装置１００をディジタルレコーダに適用した他の実施形態である。４２２は、映像信号切り換えスイッチ、４２３は音声信号切り換えスイッチである。前述のように、記録再生部２００、３００での記録の場合、映像信号Ａ／Ｄコンバータ４０３においてディジタル信号に変換された映像信号は、映像信号切換スイッチ４２２を介して映像信号圧縮回路４０７に入力される。また、音声信号Ａ／Ｄコンバータ４０４においてディジタル信号に変換された音声信号は、音声信号切り換えスイッチ４２３を介して音声信号圧縮回路４０８に入力される。以後の処理は前述の通りである。
【００４７】
記録再生部２００から再生されるシステムストリームは、バスインタフェース４１１、ＣＰＵインタフェース４１３を経由してメモリ４１２に格納される。メモリ４１２に格納されたシステムストリームは、ＣＰＵインタフェース４１３、バスインタフェース４１１を介し、ＰＣＩバス４１０を経由して、入出力バス端子１１１から信号処理装置１００に入力される。
【００４８】
信号処理装置１００に入力されたシステムストリームは、制御回路４２１から受け取った制御信号に従い復号処理がなされ、出力端子１０２から出力されシステムデコーダ４１４に入力される。システムデコーダ４１４に入力されたシステムストリームは、圧縮符号化映像データ、および圧縮符号化音声データのパケットにそれぞれ分離され、各々のパケットから取り出した圧縮符号化映像データは映像信号伸張回路４１５に、また圧縮符号化音声データは音声信号伸張回路４１６に入力される。伸張が施された映像信号は映像信号切り換えスイッチ４２２に、音声信号は音声信号切り換えスイッチ４２３に入力され、それぞれ映像信号圧縮回路４０７、音声信号圧縮回路４０８に入力される。映像信号圧縮回路４０７、音声信号圧縮回路４０８では、記録再生部２００から再生されるシステムストリームの圧縮符号化映像データ、圧縮符号化音声データより低いビットレートで再度圧縮符号化処理が施され、システムエンコーダ４０９に入力される。システムエンコーダ４０９に入力された圧縮符号化映像データおよび圧縮符号化音声データは、それぞれパケット化および多重化され、一本のシステムストリームに変換された後、信号処理装置１００に入力される。
【００４９】
信号処理装置１００に入力されたシステムストリームは、暗号処理がなされ、入出力バス端子１１１から出力される。信号処理装置１００の動作については前述した通りである。出力システムストリームは、入出力バス端子１１１からＰＣＩバス４１０を経由し、バスインタフェース４１１、ＣＰＵインタフェース４１３を介して一旦メモリ４１２に格納された後、ＣＰＵインタフェース４１３、バスインタフェース４１１を介して、記録再生部３００にて記録される。
【００５０】
以上のように、記録レートを変換しながらの記録媒体間のダビング動作においても、信号処理装置１００において、記録媒体に応じて暗号化、復号化処理が行われ、記録媒体上には暗号化されたシステムストリームが記録されるので記録媒体上での著作権が保護できる。また、ＰＣＩバス４１０上にも暗号化されたシステムストリームが伝送されるので、安全にデータ転送が行える。
【図面の簡単な説明】
【００５１】
【図１】本発明に係る信号処理装置の一実施例のブロック構成を示す図である。
【図２】本発明に係るディジタルレコーダの一実施例のブロック構成を示す図である。
【図３】本発明に係るディジタルレコーダの他の実施例のブロック構成を示す図である。
【符号の説明】
【００５２】
１００…信号処理装置、１０１…入力端子、１０２…出力端子、１０３…アービタ（調停部）回路、１０４…メモリ、１０５…入力インタフェース部、１０６…出力インタフェース部、１０７…入出力バスインタフェース部、１０８…制御部、１０９，１１０…暗号復号部，１１１…入出力バス端子、２００，３００…記録再生部、４００…ディジタルレコーダ、４０３、４０４…Ａ／Ｄコンバータ、４０５…コピー制限情報検出回路、４０７…映像信号圧縮回路、４０８…音声信号圧縮回路、４０９…システムエンコーダ、４１０…ＰＣＩバス、４１１…バスインタフェース、４１２…メモリ、４１３…ＣＰＵインタフェース、４１４…システムデコーダ、４１５…映像信号伸張回路、４１６…音声信号伸張回路、４１７，４１８…Ｄ／Ａコンバータ、４２１…制御回路。
【図１】
2005182337.tif 000003
【図２】
2005182337.tif 000004
【図３】
2005182337.tif 000005